(57)【特許請求の範囲】
【請求項１】
内部にタングステン製のフィラメントコイルを有する発光部と、前記発光部に連設された封止部とを有する硬質ガラスからなるバルブとを備え、前記フィラメントコイルの端部にモリブデン棒の一端部がかしめ溶接により接続されているとともに、前記モリブデン棒の他端部に外部リード線が接続されており、前記モリブデン棒および、前記フィラメントコイルの端部と前記モリブデン棒との接続部分が封止部内に設けられ、かつ前記フィラメントコイルの端部と前記モリブデン棒との接続部分において、前記モリブデン棒が平板形状を有していることを特徴とする電球。
【請求項２】
内部にフィラメントコイルを有する発光部と、前記発光部に連設された封止部とを有する硬質ガラスからなるバルブとを備え、前記フィラメントコイルに接続されたタングステン製の導入線の端部にモリブデン棒の一端部がかしめ溶接により接続されているとともに、前記モリブデン棒の他端部に外部リード線が接続されており、前記モリブデン棒および、前記導入線と前記モリブデン棒との接続部分が封止部内に設けられ、前記導入線と前記モリブデン棒との接続部分において、前記モリブデン棒が平板形状を有していることを特徴とする電球。
【請求項３】
前記モリブデン棒は、一端部が平板形状で、他端部は円柱形状であり、前記平板形状の部分と前記円柱形状の部分との間に傾斜部を有することを特徴とする請求項１または２に記載の電球。
【発明の詳細な説明】
【０００１】
【発明の属する技術分野】
本発明は電球に関するものである。
【０００２】
【従来の技術】
従来、例えば５０Ｗ以下の電球として、図３に示すように、内部にフィラメントコイル１１を有する発光部１２と、この発光部１２に連設された封止部１３とを有する硬質ガラスからなるバルブ１４とを備え、フィラメントコイル１１の両端部にタングステン棒１５，１６の一端部が接続され、このタングステン棒１５，１６の他端部とモリブデン棒１７，１８がそれぞれ接続され、この接続部１９を封止部内に埋設したものが知られている（実開昭６３−３５２５４号公報）。
【０００３】
このような従来の電球は、熱膨張係数の近似している硬質ガラスとモリブデン棒とを用いることによって、封止部における熱膨張・収縮の差によって発生する応力を小さくすることができ、封止部のクラックの発生を防止することができ、また、モリブデンからなる金属箔を使用する必要が無く製造工程を簡略化できるというものである。
【０００４】
【発明が解決しようとする課題】
しかしながら、図３に示す従来の電球では、タングステン棒１５，１６の端部とモリブデン棒１７，１８の端部とを突き合わせ溶接しているため、封止部１３を形成する際に加わるピンチャ圧によってタングステン棒１５，１６とモリブデン棒１７，１８との接合部１９に破損が起こりやすく、このため、導通不良となることがある。
【０００５】
また、小型で低ワットの電球ではタングステン棒１５，１６やモリブデン棒１７，１８の線径が非常に小さいため、突き合わせ溶接を行うには精度を要し、さらに時間がかかる上、両者間の溶接強度を充分に確保するのが難しいという問題があった。
【０００６】
本発明はこのような問題を解決するためになされたもので、リークの発生が無く製造も簡便で導通不良等が生じることのない信頼性の高い電球を提供することを目的とするのものである。
【０００７】
【課題を解決するための手段】
本発明の電球は、内部にタングステン製のフィラメントコイルを有する発光部と、前記発光部に連設された封止部とを有する硬質ガラスからなるバルブとを備え、前記フィラメントコイルの端部にモリブデン棒の一端部がかしめ溶接により接続されているとともに、前記モリブデン棒の他端部に外部リード線が接続されており、前記モリブデン棒および、前記フィラメントコイルの端部と前記モリブデン棒との接続部分が封止部内に設けられ、かつ前記フィラメントコイルの端部と前記モリブデン棒との接続部分において、前記モリブデン棒が平板形状を有している。
また、本発明の電球は、内部にフィラメントコイルを有する発光部と、前記発光部に連設された封止部とを有する硬質ガラスからなるバルブとを備え、前記フィラメントコイルに接続されたタングステン製の導入線の端部にモリブデン棒の一端部がかしめ溶接により接続されているとともに、前記モリブデン棒の他端部に外部リード線が接続されており、前記モリブデン棒および、前記導入線と前記モリブデン棒との接続部分が封止部内に設けられ、かつ前記導入線と前記モリブデン棒との接続部分において、前記モリブデン棒が平板形状を有している。
【０００８】
これにより、封止部を形成する際に加わるピンチャ圧によって、タングステン棒または導入線とモリブデン棒との接合部が破損するのを防止でき、このため、導通不良となることを防止することができる。また、小型で低ワットの電球において、線径の細いタングステン棒または導入線とモリブデン棒との接続を容易にしかも短時間で行うことができ、さらにタングステン棒または導入線とモリブデン棒との溶接強度を充分に確保することができる。また、封止部における硬質ガラスとモリブデン棒との封着状態を向上させることができ、気密性を増大させることができる。
【０００９】
また、本発明の請求項２記載の発明は、請求項１記載の電球において、前記モリブデン棒は、一端部が平板形状で、他端部は円柱形状であり、前記平板形状の部分と前記円柱形状の部分との間に傾斜部を有している。
【００１０】
これにより、封止部内のモリブデン棒の平板形状の部分の周囲において、封止部と封止物との境界に形成される空隙がランプの使用にともなって広がるのを塞き止めることができるので、早期にリークが発生するのを防止することができる。
【００１１】
【発明の実施の形態】
以下、本発明の実施の形態について図面を用いて説明する。
【００１２】
図１に示すように、本発明の一実施形態である９Ｗ３．６Ｖの電球１は、内部にタングステンからなる線径０．１ｍｍのフィラメントコイル２を有する発光部３ａと、発光部３ａに連設された封止部３ｂとを有する硬質ガラスからなるバルブ３を備えている。フィラメントコイル２の両端部２ａ，２ｂには長さ５．０ｍｍのモリブデン棒４，５の一端部がそれぞれ接続されているとともに、モリブデン棒４，５の他端部にはＦｅ−Ｎｉ−Ｃｏ合金からなる外部リード線６，７がそれぞれ接続され、フィラメントコイル２、モリブデン棒４，５、外部リード線６，７が一体化されたアセンブリを形成している。このアセンブリは、フィラメントコイル２が発光部３ａ内に位置するように設けられ、モリブデン棒４，５および、フィラメントコイル２の両端部２ａ，２ｂとモリブデン棒４，５との接続部８が封止部３ｂ内に位置するよう封止されている。
【００１３】
モリブデン棒４，５は熱膨張係数が５５×１０-7／℃で、バルブ３の材質である硬質ガラスの熱膨張係数は４３〜４４×１０-7／℃程度のものを使用している。このように硬質ガラスとモリブデン棒４，５の熱膨張係数は近似しているので、封止部３ｂにおける熱膨張・収縮の差によって発生する応力を、石英ガラス（熱膨張係数５．６×１０-7／℃）を用いたものよりも小さくすることができ、封止部３ｂでのクラック発生を抑制できる。
【００１４】
また、モリブデン棒４，５は封止部３ｂ内に封止されているため、封止部形成の際の封着バーナーの熱によりモリブデン棒４，５の表面に発生する不純物によって発光部３ａ内が汚染されるのを防止することができる。
【００１５】
図２に示すように、モリブデン棒４，５（図２は一方のモリブデン棒４の構成を示す。なお、他方のモリブデン棒５の構成も同様である。）は一端部にプレスによって平板形状の部分４ｂ，５ｂがそれぞれ形成されている。すなわち、モリブデン棒４，５は円柱形状の部分４ａ，５ａと平板形状の部分４ｂ，５ｂとが形成されており、平板形状の部分４ｂ，５ｂにフィラメントコイル２の両端部２ａ，２ｂが、かしめ溶接されている。
【００１６】
モリブデン棒４，５の一部に平板形状の部分４ｂ，５ｂを設けることにより、モリブデン棒４，５に、従来からバルブの封止に用いられているモリブデン箔と同様な、リーク発生の減少および熱膨張係数の差によるクラック発生の抑制を行うという機能を持たせることができる。
【００１７】
なお、図１中、モリブデン棒４，５の平板形状の部分４ｂ，５ｂ（なお、この平板形状の部分４ｂ，５ｂの厚さは０．２ｍｍである）に接続されたフィラメントコイル２の端部の長さ（図１中、記号Ｂで示す）は２．５ｍｍであり、同じくモリブデン棒４，５の円柱形状の部分４ａ，５ａの直径は０．３５ｍｍで、長さ（図１中、記号Ｄで示す）は２．０ｍｍである。また、モリブデン棒４，５の平板形状の部分４ｂ，５ｂに接続されたフィラメントコイル２の両端部２ａ，２ｂの端面からモリブデン棒４，５の円柱形状の部分４ａ，５ａまでの長さ（図１中、記号Ｃで示す）は０．５ｍｍであり、さらにこの記号Ｃの部分は平板形状から円柱形状に形状が変化する箇所であるため図２に示すように傾斜面を有する傾斜部９となっている。
【００１８】
本発明によれば、モリブデン棒４，５に設けられた傾斜部９によって、電球が早期にリークを起こしてしまうことを防止することができ、長寿命とすることができる。すなわち、一般に、封止部と、この封止部に封止されたフィラメントコイルを支持するタングステン線とモリブデン箔等の封止物との境界には空隙が形成されるため、ランプの使用にともなって、空隙が広がってゆき最終的には発光部内と外気とがこの空隙を通じて連通してしまい早期にリークが発生する。本発明によれば、上述した傾斜部９によって、封止部３ｂとフィラメントコイル２の両端部２ａ，２ｂやモリブデン棒４，５等の封止物との境界に形成される空隙１０がランプの使用にともなって広がるのを塞き止めることができるので、外気と連通して早期にリークが発生するのを防止することができる。
【００１９】
また、モリブデン棒４，５に平板形状の部分４ｂ，５ｂを有しているので、フィラメントコイル２の両端部２ａ，２ｂと平板形状の部分４ｂ，５ｂとの接続時の位置決めがしやすくなるとともに、フィラメントコイル２とモリブデン棒４，５との接触面積が増大し、導通と溶接強度を向上することができる。さらに、封止部３ｂにおいて封止の際、ガラスとモリブデン棒４，５との間に空隙１０が生じにくくなるため気密性が向上し、スローリーク等の発生が減少する。
【００２０】
また、図１に示す本実施形態の電球において、発光部３ａと封止部３ｂとの境からモリブデン棒４，５の先端との間の距離（図１中、記号Ａで示す）は０．７ｍｍとした。この記号Ａで示す距離は０．５ｍｍ以上１．０ｍｍ以下の範囲で選択することが好ましい。すなわち、この記号Ａで示す距離が０．５ｍｍ未満であると、記号Ａで示す範囲に存在するフィラメントコイル２の端部の長さが０．５ｍｍ未満となるため封止部形成の際の封着バーナーの熱によって、モリブデン棒４，５の表面に発生する不純物によって発光部３ａ内に汚染が生じることとなり、一方、記号Ａで示す距離が１．０ｍｍ以上であると、封止部形成の際の、記号Ａの範囲に存在するフィラメントコイル２の端部の熱によって封止部分にクラックが生じるためである。
【００２１】
また、モリブデン棒４，５の円柱形状の部分４ａ，５ａの長さは、この円柱形状の部分４ａ，５ａの端部と外部リード線６，７との溶接箇所と、フィラメントコイル２の端部２ａ，２ｂと平板形状の部分４ｂ，５ｂとの接続箇所とを離すため０．５ｍｍ以上にすることが好ましい。これは、接続箇所が０．５ｍｍ未満であるとプレスによって平板形状の部分４ｂ，５ｂを形成する際、外部リード線６，７とモリブデン棒４，５の接続部分が破損または強度が劣化するため、導通不良となるという不都合が生じるためである。
【００２２】
なお、本実施形態では、フィラメントコイル２として、このフィラメントコイル２の両端部２ａ，２ｂが長く延びた一体物を用いたが、フィラメントコイルの両端部が短いものを用いてもよく、この場合、このフィラメントコイルの両端部に例えばタングステンからなる導入線を接続し、この導入線の端部を封止部内のモリブデン棒に接続した構成としても同様の効果が得られる。
【００２３】
このように、本発明にかかる電球は、バルブ３内部にはモリブデン棒４，５は露出していないので、酸化モリブデンなどの不純物がバルブ３内部に生成されることを抑制でき、その結果、短寿命や早期の効率低下等の特性劣化の発生を防止することができる。また、封止部３ｂを封止加工をする際に加わるピンチャ圧によって、突き合わせ溶接の箇所が破損したり、従来のモリブデン箔を用いた電球と異なり、モリブデン箔が破れ導通不良となったり、モリブデン箔の剛性があまり無いために封止加工におけるフィラメントコイルの位置が不安定で光中心等の精度が低下したりするといった問題を確実に防止できる。また、モリブデン棒４，５に平板形状の部分４ｂ，５ｂを備えているので、フィラメントコイル２とモリブデン棒４，５と外部リード線６，７からなるアセンブリの形成が容易にかつ確実に行えるとともに、フィラメントコイル２とモリブデン棒４，５との接触面積が増大し溶接強度の向上と良好な導通状態を確保することができる。また、封止部３ｂにおける硬質ガラスとモリブデン棒４，５との封着状態が向上し気密性を増大させることができる。また、封止部３ｂと封止物との境界に形成される空隙１０がランプの使用にともなって広がるのを塞き止めることができるので、早期にリークが発生するのを防止できるという優れた効果を有するものである。
【００２４】
【発明の効果】
以上説明したように、本発明の電球は、封止部を形成する際に加わるピンチャ圧によって、タングステン棒または導入線とモリブデン棒との接合部が破損するのを防止でき、このため、導通不良となることを防止することができる。また、小型で低ワットの電球において、線径の細いタングステン棒または導入線とモリブデン棒との接続を容易にしかも短時間で行うことができ、さらにタングステン棒または導入線とモリブデン棒との溶接強度を充分に確保することができる。また、封止部における硬質ガラスとモリブデン棒との封着状態を向上させることができ、気密性を増大させることができる。また、封止部内のモリブデン棒の平板形状の部分の周囲において、封止部と封止物との境界に形成される空隙がランプの使用にともなって広がるのを塞き止めることができるので、早期にリークが発生するのを防止することができる。
【図面の簡単な説明】
【図１】本発明の一実施形態である電球の正面図
【図２】同じく封止部の一部切欠拡大斜視図
【図３】従来の小形電球を示す正面図
【符号の説明】
１  電球
２  フィラメントコイル
３  バルブ
４，５  モリブデン棒
４ａ，５ａ  円柱形状の部分
４ｂ，５ｂ  平板形状の部分
６，７  外部リード線
８  接続部
９  傾斜部
【図１】
0004273589.tif 000002
【図２】
0004273589.tif 000003
【図３】
0004273589.tif 000004